(57)【要約】      （修正有）【課題】柔軟且つ便利に使えるチャイルドキャリアを提供する。【解決手段】チャイルドキャリア１００はウエストストラップ１１１を含むキャリーハーネス１１０と、キャリーハーネスに接続される子供サポート部１２０であって、該子供サポート部は、互いに接続されるヒップサポート部１２３及び胴体サポート部１２２を含み、キャリーハーネスは、ウエストストラップに設けられる収納コンパートメント及びユーティリティーホルダーバンドを含み、該ユーティリティーホルダーバンドは、該ユーティリティーホルダーバンドに掛けられる１つ以上の物体をウエストストラップが受容するよう適合されるようにウエストストラップに取り付けられるとともにウエストストラップに沿って延びる。【選択図】図１
2019193781.tif 000002
【特許請求の範囲】
【請求項１】
ウエストストラップを含むキャリーハーネスと、
前記キャリーハーネスに接続される子供サポート部であって、該子供サポート部は、互いに接続されるヒップサポート部及び胴体サポート部を含む、子供サポート部と、
を含むチャイルドキャリアであって、
前記キャリーハーネスは、前記ウエストストラップに設けられる収納コンパートメント及びユーティリティーホルダーバンドを含み、該ユーティリティーホルダーバンドは、該ユーティリティーホルダーバンドに掛けられる１つ以上の物体を前記ウエストストラップが受容するよう適合されるように前記ウエストストラップに取り付けられるとともに前記ウエストストラップに沿って延びる、チャイルドキャリア。
【請求項２】
前記ユーティリティーホルダーバンドは両端を有し、前記ユーティリティーホルダーバンドの両端の間の中間部を前記ウエストストラップから遠ざかるように動かし前記ウエストストラップと該中間部との間に間隙が形成できるように前記両端は前記ウエストストラップに固定取り付けされる、請求項１に記載のチャイルドキャリア。
【請求項３】
前記ヒップサポート部は前記ウエストストラップに接続され、前記ユーティリティーホルダーバンドは前記ヒップサポート部に隣接して前記ウエストストラップ上に位置する、請求項１に記載のチャイルドキャリア。
【請求項４】
前記収納コンパートメントは、前記ウエストストラップが介護者の腰の周りに取り付けられた場合に該介護者の身体の左側又は右側に対応する前記ウエストストラップ上の位置に配置される、請求項１に記載のチャイルドキャリア。
【請求項５】
前記収納コンパートメントは、前記ウエストストラップに縫い付けられる、請求項１に記載のチャイルドキャリア。
【請求項６】
前記キャリーハーネスは２つのショルダーストラップをさらに含み、該２つのショルダーストラップのそれぞれは前記ウエストストラップに固定接続される固定端と、前記子供サポート部に取り外し可能に締結できる遠位端とを有する、請求項１に記載のチャイルドキャリア。
【請求項７】
ウエストストラップを含むキャリーハーネスと、
前記キャリーハーネスに接続される子供サポート部であって、該子供サポート部は、互いに接続されるヒップサポート部及び胴体サポート部を含み、該ヒップサポート部はさらに前記ウエストストラップに接続される、子供サポート部と、
を含むチャイルドキャリアであって、
前記キャリーハーネスは、前記ウエストストラップに設けられる収納コンパートメント及びユーティリティーホルダーバンドを含み、該ユーティリティーホルダーバンドは、該ユーティリティーホルダーバンドに掛けられる１つ以上の物体を前記ウエストストラップが受容するよう適合されるように前記ウエストストラップに取り付けられるとともに前記ウエストストラップに沿って延び、前記ユーティリティーホルダーバンドは、前記ヒップサポート部に隣接して前記ウエストストラップ上に位置し、前記収納コンパートメントは、前記ウエストストラップが介護者の腰の周りに取り付けられた場合に該介護者の身体の左側又は右側に対応する前記ウエストストラップ上の位置に配置される、チャイルドキャリア。
【請求項８】
前記ユーティリティーホルダーバンドは両端を有し、前記ユーティリティーホルダーバンドの両端の間の中間部を前記ウエストストラップから遠ざかるように動かし前記ウエストストラップと該中間部との間に間隙が形成できるように前記両端は前記ウエストストラップに固定取り付けされる、請求項７に記載のチャイルドキャリア。
【請求項９】
前記収納コンパートメントは、前記ウエストストラップに縫い付けられる、請求項７に記載のチャイルドキャリア。
【請求項１０】
前記キャリーハーネスは２つのショルダーストラップをさらに含み、該２つのショルダーストラップのそれぞれは前記ウエストストラップに固定接続される固定端と、前記子供サポート部に取り外し可能に締結できる遠位端とを有する、請求項７に記載のチャイルドキャリア。
【発明の詳細な説明】
【技術分野】
【０００１】
本願は、２０１８年５月３１日に出願された中国特許出願第２０１８１０５４９１１０．１号及び２０１８年４月１９日に出願された中国特許出願第２０１８１０３５５３７０．５号の優先権を主張する。
【０００２】
本発明はチャイルドキャリア（child  carriers）に関する。
【背景技術】
【０００３】
チャイルドキャリア製品は、介護者と密接した状態で小さな子供を介護者が手を使うことなく便利に担いで運ぶことができるようにする。市場で入手可能な様々な種類のチャイルドキャリアは、例えば小さい子供を運搬人の前で臥位で又は前向き若しくは後ろ向きで担ぐか又は運搬人の後ろで担ぐ等、子供の担ぎ方の点で異なり得る。チャイルドキャリアは例えば１人用、２人用等機能の面でも異なり得る。
【発明の概要】
【発明が解決しようとする課題】
【０００４】
運搬人にストレスが集中するのを回避するために、また望ましくない屈曲又は圧力が子供にかかることなく子供の腰、胴、首及び頭を適切に支持できる快適な環境を提供するためにチャイルドキャリアのデザインは人間工学に基づいたものでなければならない。残念ながら、市場で入手可能なチャイルドキャリアは依然として現在のニーズを満たさないことがある。例えば、大半のチャイルドキャリアは子供を座らせるための空間容量は固定された構成であり、様々な大きさの子供を異なる位置で座らせるというニーズに適合されていない場合がある。
【０００５】
したがって、より柔軟で便利に用いることができ、少なくとも前述の問題に対処できる改善されたチャイルドキャリアに対するニーズがある。
【０００６】
本願は、柔軟且つ便利に使えるチャイルドキャリアを説明する。
【課題を解決するための手段】
【０００７】
一実施形態によれば、チャイルドキャリアは、ウエストストラップを含むキャリーハーネスと、キャリーハーネスに接続される子供サポート部であって、該子供サポート部は、互いに接続されるヒップサポート部及び胴体サポート部を含む、子供サポート部と、を含み、キャリーハーネスは、ウエストストラップに設けられる収納コンパートメント及びユーティリティーホルダーバンドを含み、該ユーティリティーホルダーバンドは、該ユーティリティーホルダーバンドに掛けられる１つ以上の物体をウエストストラップが受容するよう適合されるようにウエストストラップに取り付けられるとともにウエストストラップに沿って延びる。
【０００８】
別の実施形態によれば、チャイルドキャリアはウエストストラップを含むキャリーハーネスと、キャリーハーネスに接続される子供サポート部であって、該子供サポート部は、互いに接続されるヒップサポート部及び胴体サポート部を含み、該ヒップサポート部はさらにウエストストラップに接続される、子供サポート部と、を含み、キャリーハーネスは、ウエストストラップに設けられる収納コンパートメント及びユーティリティーホルダーバンドを含み、該ユーティリティーホルダーバンドは、該ユーティリティーホルダーバンドに掛けられる１つ以上の物体をウエストストラップが受容するよう適合されるようにウエストストラップに取り付けられるとともにウエストストラップに沿って延び、ユーティリティーホルダーバンドは、ヒップサポート部に隣接してウエストストラップ上に位置し、収納コンパートメントは、ウエストストラップが介護者の腰の周りに取り付けられた場合に該介護者の身体の左側又は右側に対応するウエストストラップ上の位置に配置される。
【図面の簡単な説明】
【０００９】
【図１】図１は、チャイルドキャリアの一実施形態を示す概略前面図である。
【図２】図２は、図１のチャイルドキャリアの別の状態を示す概略前面図である。
【図３】図３は、図２のチャイルドキャリアを示す概略前面図であり、チャイルドキャリアのネックサポート部が図２に示すものとは異なる垂直位置に調節されている。
【図４】図４は、図３のチャイルドキャリアを示す概略前面図であり、ヒップサポート部の幅を小さくするためにチャイルドキャリアのヒップサポート調節機構が締結状態にある。
【図５】図５は、外に展開されたヘッドカバーを有する図３のチャイルドキャリアの概略前面図である。
【図６】図６は、チャイルドキャリアの子供サポート部が下方に押し下げされた図１のチャイルドキャリアを示す概略図である。
【図７】図７は、図１のチャイルドキャリアの概略背面図である。
【図８】図８は、２つのストラップ締結アセンブリを通じて互いに連結された２つのショルダーストラップを含む図１のチャイルドキャリアのさらなる詳細を示す概略図である。
【図９】図９は、締結されていない状態にあるショルダーストラップの２つのストラップ締結アセンブリを示す概略図である。
【図１０】図１０は、チャイルドキャリアの変形構成を示す概略図である。
【図１１】図１１は、ヒップサポート調節機構を隠すためのポケットを含むチャイルドキャリアの変形構成を示す概略図である。
【図１２】図１２は、ヒップサポート調節機構を隠すためのポケットを含むチャイルドキャリアの変形構成を示す概略図である。
【図１３】図１３は、チャイルドキャリアの一実施形態で設けられ得る別の特徴を示す概略図である。
【図１４】図１４は、チャイルドキャリアの一実施形態で設けられ得る別の特徴を示す概略図である。
【図１５】図１５は、チャイルドキャリアの一実施形態で設けられ得る別の特徴を示す概略図である。
【図１６】図１６は、チャイルドキャリアの一実施形態で適用され得る別の変形構成を示す概略図である。
【図１７】図１７は、胴体サポート部からネックサポート部が取り外された状態の図１６のチャイルドキャリアを示す概略図である。
【図１８】図１８は、図１６のチャイルドキャリアに設けられたネックサポート部のさらなる構成の詳細を示す概略拡大図である。
【図１９】図１９は、図１８に示すネックサポート部の外に展開されたヘッドカバーを示す概略拡大図である。
【図２０】図２０は、ネックサポート部に設置された胸当てを含むチャイルドキャリアの一実施形態を示す概略図である。
【図２１】図２１は、胸当てを単独で示す概略図である。
【図２２】図２２は、チャイルドキャリアの胴体サポート部とキャリーハーネスとの間の最大底部距離を調節可能な拡張可能部を含むチャイルドキャリアの一実施形態を示す概略図である。
【図２３】図２３は、図２２のチャイルドキャリアを示す側面図である。
【図２４】図２４は、図２２に示すチャイルドキャリアの拡張可能部の例示の調節を示す概略図である。
【図２５】図２５は、図２４に示すチャイルドキャリアの調節された拡張可能部を示す概略拡大図である。
【図２６】図２６は、設置された構成の図２４のチャイルドキャリアを示す概略側面図である。
【発明を実施するための形態】
【００１０】
図１〜図９を参照して、チャイルドキャリア１００を説明する。チャイルドキャリア１００はキャリーハーネス１１０及び子供サポート部１２０を含むことができる。チャイルドキャリアは、介護者の身体の近くで子供を担いで運ぶのに好適であり得る。
【００１１】
図１〜図９を参照して、子供を運ぶためにチャイルドキャリア１００を据え付けて用いる場合にキャリーハーネス１１０を介護者の身体の周りに巻き付けることができる。キャリーハーネス１１０はウエストストラップ１１１及び２つのショルダーストラップ１１２を含むことができる。２つのショルダーストラップ１１２のそれぞれは、ウエストストラップ１１１に固定接続される固定端１１２ａ（図６及び図７でより分かり易く示す）と、ウエストストラップ１１１又は（後で説明する）子供サポート部１２０に取り外し可能に締結できる遠位端１１２ｂ（図１及び図６でより分かり易く示す）とを有することができる。
【００１２】
子供サポート部１２０はキャリーハーネス１１０に接続できる。より具体的には、子供サポート部１２０は、子供サポート部１２０の２つの反対側の端部でショルダーストラップ１１２及びウエストストラップ１１１にそれぞれ接続することができる。一実施形態によれば、子供サポート部１２０は、ネックサポート部１２１と、お互いが反対側にある内面１２２ａ（図６でより分かり易く示す）及び外面１２２ｂ（図１〜図３でより分かり易く示す）を含む胴体サポート部１２２と、ヒップサポート部１２３と、２つの大腿部サポート部１２４とを含むことができる。ネックサポート部１２１、胴体サポート部１２２、ヒップサポート部１２３及び大腿部サポート部１２４で構成される子供サポート部１２０は、限定されないがファブリック、織物類等を含み得る可撓性材料を含み得る。ヒップサポート部１２３はウエストストラップ１１１及び胴体サポート部１２２の間に配置されるとともに、それらにそれぞれ接続される。２つの大腿部サポート部１２４は腰サポート部１２３の左側及び右側でそれぞれ互いに反対側に横方向に配置され、それぞれヒップサポート部１２３に接続される。一構成例によれば、２つの大腿部サポート部１２４はヒップサポート部１２３に対して傾斜してそれぞれ配置され、ウエストストラップ１１１の方に折ることができる。さらに、各大腿部サポート部１２４は、２つの両側のテーパー端及び２つのテーパー端よりも厚く例えば三日月状の中間部分を含む湾曲形状を有し得る。大腿部サポート部１２４の中間部分は、例えば厚さを増やすために充填材を含み得る。使用の際、ヒップサポート部１２３及び２つの大腿部サポート部１２４は、ウエストストラップ１１１に対して折ることはでき、子供を座らせるための受容空間を少なくとも部分的に定めることができる。各大腿部サポート部１２４の厚さがより大きい中間部分は、膝の高さが股関節にある姿勢(position  with  the  knees  level  with  the  hip  joint）で子供が座ることができるように大腿部に対して好適な支持を提供でき、腰の自然な発育を促進できるより健康的な着座姿勢を提供できる。胴体サポート部１２２は腰サポート部１２３に対して折ることができ、子供の胴体に支持を提供できる。ネックサポート部１２１は胴体サポート部１２２の上部に接続され、該上部に折り曲げることができ、子供の頭を支持するのを支援するために子供の首に隣接して位置することができる。
【００１３】
図１〜図５を参照して、チャイルドキャリア１００はヒップサポート部１２３に設けられたヒップサポート調節機構（hip  support  adjustment）１３０を含むことができる。ヒップサポート調節機構１３０は、子供の大きさ及び／又は着座構成に従ってヒップサポート部１２３の幅を変更できる。ヒップサポート部１２３の幅は、一例として２つの大腿部サポート部１２４の間の横方向距離として定義され得る。しかしながら、係る幅は横方向に沿ったヒップサポート部１２３の任意の２つの点の間の任意の距離であってもよい。一構成例によれば、ヒップサポート調節機構１３０は、ヒップサポート部１２３に接続された調節部１３１を含むことができる。調節部１３１は、紐、ストラップ、帯、パネル等を含み得る。調節部１３１に好適な材料の例としてはファブリック、弾性バンド等が挙げられる。調節部１３１は、ヒップサポート部１２３の幅方向に沿って横方向に延在でき、ヒップサポート部１２３の幅を小さくするためにヒップサポート部１２３が横方向に縮小させる。例えば、調節部１３１は、ヒップサポート部１２３の幅を調節するためにピップサポート部１２３の１つ以上の所定の接続位置に取り外し可能に締結する少なくとも１つの遠位端を有し得る。
【００１４】
図１〜図５を参照して、調節部１３１は、一例としてヒップサポート部１２３に固定される固定端１３１ａと、固定端１３１ａから離れた場所でヒップサポート部１２３に取り外し可能に締結できる遠位端１３１ｂとを有する。調節部１３１の固定端１３１ａは、２つの大腿部サポート部１２４のうちの一方に隣接する場所でヒップサポート部１２３に固定され得る。任意の好適な固定構造を用いて調節部１３１の遠位端１３１ｂをヒップサポート部１２３に取り外し可能に締結してもよい。例えば、調節部１３１は、調節部１３１の固定端１３１ａから離れて位置する開口１３２を有し、ヒップサポート部１２３は、調節部１３１の開口１３２と係合でき且つ開口１３２から外すことができるボタン１３３を有し得る。一構成例によれば、調節部１３１には１つの開口１３２のみが設けられる。しかしながら、調節部１３１は複数の開口１３２を有してもよい。さらに、調節部１３１の固定端１３１ａと開口１３２との間の距離は、ヒップサポート部１２３の幅より小さくてよい。ボタン１３３は、ヒップサポート部１２３の幅方向沿いの調節部１３１の固定端１３１ａから離れた場所でヒップサポート部１２３に固定取り付けされる。
【００１５】
ヒップサポート調節機構１３０は、ボタン１３１を開口１３２と係合させることにより調節部１３１の遠位端１３１ｂがヒップサポート部１２３に取り付けられている場合に締結状態にあり、ボタン１３３を開口１３２から外すことにより調節部１３１の遠位端１３１ｂがヒップサポート部１２３から外されている場合に非締結状態にある。ヒップサポート調節機構１３０が締結状態にある場合、ヒップサポート部１２３を少なくとも部分的に折り、横方向に縮小させることができ、これによりヒップサポート部１２３の幅を小さくできる。ヒップサポート調節機構１３０が非締結状態にある場合、ヒップサポート部１２３は横方向に拡張し、それによりヒップサポート部１２３の幅を大きくできる。したがって、ヒップサポート部１２３の幅は、ヒップサポート調節機構１３０が非締結状態にある場合よりもヒップサポート調節機構１３０が締結状態にある場合に小さくできる。これにより、ヒップサポート部１２３は大きさの異なる子供を受容するために及び／又は異なる着座構成のために調節され得る。
【００１６】
ヒップサポート調節機構１３０の複数の変形構成が可能であることが分かる。例えば、開口１３２及びボタン１３３の配置を互いに置き換えてもいいし、開口１３２をヒップサポート部１２３に設け、ボタン１３３を調節部１３１に設けてもよい。変形構成によれば、固定端でヒップサポート部１２３に固定接続される構成の調節部１３１ではなく、調節部１３１はヒップサポート部１２３から完全に取り外し可能であってもよい。即ち、調節部１３１はヒップサポート部１２３に取り外し可能に接続される２つの端部を有することができる。別の変形構成によれば、調節部１３１は、バックスファスナー、スナップファスナー、フック・ループファスナー、ジップファスナー、拘束ベルト等を用いることによりヒップサポート部１２３に締結され得る。
【００１７】
図３〜図５を参照して、胴体サポート部１２２はヘッドカバー１２２２を受容するように適合された収納ポケット１２２１を含み得る。収納ポケット１２２１は、ネックサポート部１２１の下に配置され、胴体サポート部１２２の外面１２２ｂ上で所望により開閉可能な開口を有し得る。例えば、収納ポケット１２２１の開閉に用いられ得る好適なファスナーとしては、限定されないがジップファスナー、ボタンファスナー、スナップファスナー、フック・ループファスナー等が挙げられる。ヘッドカバー１２２２は、子供の頭を少なくとも部分的に覆うことができるような形状及び寸法を有し得る。ヘッドカバー１２２２の好適な材料の例としてはファブリックや織物類等の可撓性材料が挙げられる。ヘッドカバー１２２２は折り畳んで収納ポケット１２２１内にしまうことができ、用いる場合は外に展開させることができる。一構成例によれば、ヘッドカバー１２２２は収納ポケット１２２１の内部に（例えば縫い付けにより）固定接続され得る端部を有し得る。そのため、ヘッドカバー１２２２は胴体サポート部１２２に連結できる。これは、ヘッドカバー１２２２が不意に無くなることを防ぎ、ヘッドカバー１２２を胴体サポート部１２２に接続するための追加のファスナーの必要性を解消し得る。別の構成例によれば、ヘッドカバー１２２２は必要に応じて胴体サポート部１２２から分離可能である。
【００１８】
図３〜図５を参照して、ヘッドカバー１２２２が使用のために展開されている場合、ヘッドカバー１２２２は収納ポケット１２２１からネックサポート部１２１に亘って延在し、チャイルドキャリア１００の２つのショルダーストラップ１１２に取り外し可能に締結されて少なくとも部分的に子供の頭を覆い子供の頭を支持するのを助ける。例えば、ヘッドカバー１２２２は、ショルダーストラップ１１２に設けられる対応する締結部１１２２（図８でより分かり易く示す）とそれぞれ係合可能な複数の締結部１２２２ａ（図５でより分かり易く示す）を有し得る。締結部１２２２ａ及び１１２２は、限定されないがスナップファスナー、ボタンファスナー等を含み得る。一構成例によれば、ヘッドカバー１２２２は、ヘッドカバー１２２２の遠位端１２２２ｃから突出し得る２つのベルト部１２２２ｂに接続され、締結部１２２２ａはベルト部１２２２ｂにそれぞれ設けられ得る。使用の間、ヘッドカバー１２２２は子供の頭を覆うために展開でき、ベルト部１２２２ｂはベルト部１２２２ｂにある締結部１２２２ａがそれぞれショルダーストラップ１１２にある締結部１１２２とそれぞれ係合できるようにショルダーストラップ１１２の方に広がることができる。ヘッドカバー１２２２が使用されていない場合、締結部１２２２ａ及び１１２２はお互いから外すことができ、ヘッドカバー１２２２を折り畳んで収納ポケット１２２１内にしまうことができる。ベルト部１２２２ｂ及び締結部１２２２ａは、ヘッドカバー１２２２と共に収納ポケット１２２１内にしまわれる。
【００１９】
収納ポケット１２２１は子供サポート部１２０の他の好適な位置に設けてもよいことが分かる。例えば、収納ポケット１２２１は、ヘッドカバー１２２２をネックサポート部１２１の内部に収容できるようにネックサポート部１２１に設けられ得る。この場合、ヘッドカバー１２２２は、ネックサポート部１２１に、例えばネックサポート部１２１に設けられる収納ポケット１２２１の内部に接続され得る。
【００２０】
図１〜図４及び図６を参照して、ネックサポート部１２１は胴体サポート部１２２の上部に接続され、該上部に折り畳ねることができる。一構成例によれば、ネックサポート部１２１は胴体サポート部１２２の左側から右側へと横方向に延びる接続領域１２１ａ（図６でより分かり易く示す）に沿って胴体サポート部１２２の上部に固定接続できる。さらに、ネックサポート部１２１は接続領域１２１ａの方向に沿って互いに横方向の反対側に位置する２つの端部を有することができる。それらの端部には２つの締結部１２１１がそれぞれ設けられる（図６でより分かり易く示す）。胴体サポート部１２２の左側及び右側のそれぞれは、ネックサポート部１２１の締結部１２１１と係合でき且つ締結部１２１１から外すことができる複数の締結部１２２３をそれぞれ有することができる。締結部１２２３は収納ポケット１２２１の左側及び右側に分布し得る。一構成例によれば、ネックサポート部１２１に設けられる締結部１２１１は開口であり、胴体サポート部１２２に設けられる締結部１２２３は、締結部１２１１と係合でき且つ締結部１２１１から外すことができるボタンであり得る。左側及び右側のそれぞれにある締結部１２２３は、一例として胴体サポート部１２２の外面１２２ｂに設けられ、子供サポート部１２０の長手軸と概ね平行な列に配置される。一構成例によれば、胴体サポート部１２２は４つの締結部１２２３を含み、２つの締結部１２２３の組みが胴体サポート部１２２の左側及び右側のそれぞれに設けられる。
【００２１】
ネックサポート部１２１を胴体サポート部１２２に折り重ねることにより、子供の大きさに従ってネックサポート部１２１を胴体サポート部１２２に対して異なる高さ又は垂直位置にあるように構成可能である。例えば、ネックサポート部１２１を（図３及び図４に示すように）胴体サポート部１２２に対して第１の折り重ねを行うことにより第１の高さ又は垂直位置を有し、（図１及び図２に示すように）第１の折り重ねよりも大きい第２の折り重ねを胴体サポート部１２２に対して行うことにより、第１の高さ又は垂直位置よりも低い第２の高さ又は垂直位置を有することができる。ネックサポート部１２１が第１の垂直位置にある場合、ネックサポート部１２１の両端にある締結部１２１１は、胴体サポート部１２２の左側及び右側の締結部１２２３の２つの上側のものとそれぞれ係合してネックサポート部１２１を第１の垂直位置で保持する。ネックサポート部１２１が第２の垂直位置にある場合、ネックサポート部１２１の両端にある締結部１２１１は、胴体サポート部１２２の左側及び右側の締結部１２２３の２つの下側のものとそれぞれ係合してネックサポート部１２１を第２の垂直位置で保持する。
【００２２】
締結部１２１１及び１２２３の複数の変形構成が可能であり得ることが分かる。例えば、ネックサポート部１２１１に設けられる締結部１２１１はボタンであり、胴体サポート部１２２に設けられる締結部１２２３は開口であってもよい。一変形構成によれば、締結部１２１１及び１２２３は磁気ファスナー、スナップファスナー、フック・ループファスナー、ジッパーファスナー、拘束ベルト等を含み得る。さらに、胴体サポート部１２２に対するネックサポート部１２１の垂直方向の調節は、胴体サポート部１２２又はネックサポート部１２１に設けられるヘッドカバー１２２２のための収納ポケット１２２１を有する実施形態を含む、チャイルドキャリア１００の様々な実施形態に適用可能であり得る。ヘッドカバー１２２２のための収納ポケット１２２１がネックサポート部１２１に設けられる実施形態において場、締結部１２１１は、ネックサポート部１２１の収納ポケット１２２１の左側及び右側に配置され、ネックサポート部１２１はヘッドカバー１２２２がネックサポート部１２１の内部に収納されるか又は外で展開された状態で所望の垂直位置になるように胴体サポート部１２２に折り重ねられ得る。
【００２３】
本願で説明するネックサポート部１２１は、子供の大きさに従って子供の頭に好適な支持を提供するために便利に調節できる。したがって、ネックサポート部１２１は子供のために快適で安全な支持の提供に貢献できる。
【００２４】
図１〜図７を参照して、子供サポート部１２０及びショルダーストラップ１１２は連結アセンブリ１４０及び１５０を通じて互いに取り外し可能に締結できる。連結アセンブリ１４０は互いに係合し且つ互いから外すことができる２組のコネクタ１４１及び１４２を含むことができる。例えば、２つのコネクタ１４１は２つのショルダーストラップ１１２にそれぞれ連結でき、２つのコネクタ１４２は２つのベルト部１２２４を通じて胴体サポート部１２２の左側及び右側にそれぞれ付加できる。より具体的には、各コネクタ１４１は、ショルダーストラップ１２２の固定端１１２ａと遠位端１１２ｂとの間の中間位置で対応するショルダーストラップ１１２に取り付けられ得る。２つのベルト部１２２４は胴体サポート部１２２の上部に隣接し且つヒップサポート部１２３から離れて胴体サポート部１２２にそれぞれ取り付けられ、各コネクタ１４２は対応するベルト部１２２４に連結され得る。一構成例によれば、２つのベルト部１２２４はそれぞれ胴体サポート部１２２の上部の近くで胴体サポート部１２２の内面１２２ａにそれぞれ取り付けられ得る。コネクタ１４２と胴体サポート部１２２との間の各ベルト部１２２４の長さは、チャイルドキャリア１００に受容される子供の大きさに従って調節できる。
【００２５】
図１〜図４を参照して、連結アセンブリ１５０は互いに係合し且つ互い外すことができる２組のコネクタ１５１及び１５２を含むことができる。例えば、２つのコネクタ１５１は２つのショルダーストラップ１１２にそれぞれ連結でき、２つのコネクタ１５２は、ヒップサポート部１２３及び調節部１３１の上で胴体サポート部１２２にそれぞれ連結できる。より具体的には、各コネクタ１５１は、ショルダーストラップ１１２の固定端１１２ａと反対側の対応するショルダーストラップの遠位端１１２ｂにそれぞれ付加できる。一構成例によれば、各コネクタ１５１は、コネクタ１５１とショルダーストラップ１１２の固定端１１２ａとの間のショルダーストラップ１１２の長さを調節可能にするために調節可能にショルダーストラップ１１２に連結され得る。コネクタ１５２はヒップサポート部１２３に隣接して配置され得る。一構成例によれば、各コネクタ１５２は胴体サポート部１２２の外面１２２ｂに取り付け可能なタブ１２２６にそれぞれ付加され得る。
【００２６】
図１〜図４を参照して、胴体サポート部１２２の外面１２２ｂは２つのガイドループ１２２５をさらに含み得る。ショルダーストラップ１１２の２つのコネクタ１５１は、２つのコネクタ１５２と係合するためにガイドループ１２２５を通ることができる。例えば、２つのガイドループ１２２５はそれぞれ２つの大腿部サポート部１２４の上で２つのコネクタ１５２の近くに配置され得る。
【００２７】
図示の実施形態によれば、コネクタ１４１及び１４２とコネクタ１５１及び１５２は、互いに係合可能な雄コネクタ及び雌コネクタを含み得る。いくつかの変形構成によれば、コネクタ１４１及び１４２とコネクタ１５１及び１５２はスナップファスナー、ボタンファスナー、ジッパーファスナー、フック・ループファスナー等を含み得る。
【００２８】
胴体サポート部１２２をショルダーストラップ１１２に連結するために、ショルダーストラップ１１２の遠位端１１２ｂは遠位端１１２ｂにあるコネクタ１５１を胴体サポート部１２２のコネクタ１５２にそれぞれ係合させることにより胴体サポート部１２２に接続され得る。さらに、胴体サポート部１２２のコネクタ１４２はショルダーストラップ１１２のコネクタ１４１にそれぞれ係合できる。所望により、胴体サポート部１２２の上部とショルダーストラップ１１２との間の距離は、コネクタ１４２と胴体サポート部１２２との間のベルト部１２２４の長さを調節することにより調節され得る。
【００２９】
前述の実施形態は、使用構成において胴体サポート部１２２に接続されたショルダーストラップ１１２の遠位端１１２ｂを有する。変形実施形態によれば、ショルダーストラップ１１２の遠位端１１２ｂは使用構成において、例えば、同じコネクタ１５２をウエストストラップ１１１の好適な位置に設けることによりウエストストラップ１１１に接続されて介護者の腕を通すための閉ループを形成する。
【００３０】
図６〜図９を参照して、チャイルドキャリア１００は、２つのショルダーストラップ１１２の間に接続可能なストラップ規制アセンブリ１６０をさらに含むことができる。ストラップ規制アセンブリ１６０は、介護者の肩上に２つのショルダーストラップ１１２を規制配置することができ、２つのストラップ締結アセンブリ１６1、１６２及び連結部１６３を含み得る。連結部１６３のための好適な材料の例としては、限定されないがファブリック又は織物類等の可撓性材料が挙げられる。連結部１６３は２つのショルダーストラップ１１２の間に配置され、２つのショルダーストラップ１１２に接続され、ウエストストラップ１１１に隣接して位置し得る。連結部１６３はショルダーストラップ１１２を規制配置するのを支援できる。２つのストラップ締結アセンブリ１６１及び１６２は調節のためにそれぞれ２つのショルダーストラップ１１２に沿って摺動し、ストラップ規制アセンブリ１６０を締結するか又は外すために互いに係合し且つ互いから外すことができる。
【００３１】
図８及ぶ図９を参照して、ストラップ締結アセンブリ１６１は摺動部１６１１と、雌ファスナー１６１３と、摺動部１６１１及び雌ファスナー１６１３にそれぞれ接続されるベルト部１６１２とを含むことができる。摺動部１６１１は２つのショルダーストラップ１１２のうちの１つに摺動可能に接続され得る。例えば、ショルダーストラップ１１２に沿って長さ方向に延在するガイドストリップ１１２１にはショルダーストラップ１１２に取り付けられる２つの両端が設けられ、摺動部１６１１はガイドストリップ１１２１に摺動可能に取り付けられ得る。ベルト部１６１２は摺動部１６１１を通じて巻いて摺動部１６１１に接続できる（wrap  through  and  connect  with  the  sliding  part  1611）ため、ベルト部１６１２及び摺動部１６１１はショルダーストラップ１１２に沿って一緒に摺動できる。雌ファスナー１６１３はベルト部１６１２を通じてショルダーストラップ１１２に付加できる。
【００３２】
ストラップ締結アセンブリ１６２は摺動部１６２１と、雄ファスナー１６２３と、摺動部１６２１及び雄ファスナー１６２３にそれぞれ接続されたベルト部１６２２とを含むことができる。摺動部１６２１は、例えば前で説明したガイドストリップ１１２１を用いることにより２つのショルダーストラップ１１２の他方に摺動可能に接続できる。ベルト部１６２２は摺動部１６２１を通じて巻いて摺動部１６２１に接続できる。そのため、ベルト部１６２２及び摺動部１６２１は他方のショルダーストラップ１１２に沿って一緒に摺動できる。雄ファスナー１６２３はベルト部１６２２を通じて他方のショルダーストラップ１１２に調節可能に付加できる。雌ファスナー１６１３及び雄ファスナー１６２３は互いに係合し且つお互いから外れることができる。
【００３３】
チャイルドキャリア１００が介護者の身体に据え付けられた場合、連結部１６３は介護者の胴体の前に位置し、雌ファスナー１６１３及び雄ファスナー１６２３は介護者の背中で互いに係合して２つのショルダーストラップ１１２を介護者の胴体上で制限的に配置する。
【００３４】
図１〜図７を参照して、ウエストストラップ１１１は介護者の腰の周りにウエストストラップ１１１を締結するか又は外すために取り付けシステム１７０を含むことができる。取り付けシステム１７０は、ウエストストラップ１１１の両端にそれぞれ設けられる互いに取り外し可能に係合可能な２つの締結部１７１、１７２を含むことができる。一構成例によれば、締結部１７１、１７２はフック・ループファスナーを含み得る。他の構成例によれば、締結部１７１、１７２は相互に係合可能な雄ファスナー及び雌ファスナー、スナップファスナー、ボタンファスナー、ジップファスナー等を含み得る。
【００３５】
図７を参照して、ウエストストラップ１１１はウエストストラップ１１１を介護者の腰の周りで硬く締めることができる固定ハーネス１８０をさらに含むことができる。固定ハーネス１８０は締め付けベルト１８１と、２つの締結部１８２、１８３とを含むことができる。締め付けベルト１８１はウエストストラップ１１１に固定接続される一端を有することができ、締結部１８２は締め付けベルト１８１に調節可能に接続でき、締結部１８３はウエストストラップ１１１に固定接続できる。一構成例によれば、締結部１８２、１８３は互いに係合可能な雄バックル部及び雌バックル部を含み得る。使用の際、取り付けシステム１７０によりウエストストラップ１１１が介護者の腰の周りに固定された後で、締め付けベルト１８１の締結部１８２がウエストストラップ１１１の締結部１８３と係合できるように締め付けベルト１８１を広げてウエストストラップ１１１の２つの端部に亘って延ばすことができる。これにより、ウエストストラップ１１１を介護者の腰の周りにきつく固定できる。一構成例によれば、ウエストストラップ１１１は締結部１８３とウエストストラップ１１１の一端との間に配置されるガイドループ１１１をさらに含むことができる。ガイドループ１１１は締め付けベルト１８１の配置を促進し、締め付けベルト１８１は締結部１８２を締結部１８３に係合させるためにガイドループ１１１を通ることができる。
【００３６】
以下、図１〜図９を参照しながらチャイルドキャリア１００の使用例を説明する。チャイルドキャリア１００を用いる場合、ショルダーストラップ１１２の遠位端１１２ｂにあるコネクタ１５１を胴体サポート部１２２のコネクタ１５２に締結でき、胴体サポート部１２２のコネクタ１４２をショルダーストラップ１１２のコネクタ１４１にそれぞれ係合できる。それにより、胴体サポート部１２２はショルダーストラップ１１２に連結でき、ショルダーストラップ１１２は介護者の腕を通すための２つの閉ループをそれぞれ定義できる。さらに、調節部１３１によりヒップサポート部１２３の幅が子供の大きさ又は子供の着座構成に従って調節され得る。例えば、子供が前を向いて介護者の方を向かずに座る場合、（図４に示すように）ヒップサポート部１２３のボタン１３３を調節部１３１の開口１３２と係合させてヒップサポート部１２３の幅を小さくすることで、ヒップサポート部１２３は子供をよりきつく支持できる。子供が介護者に対向して座る場合、ヒップサポート部１２３は子供の腰のより大きな領域の周りを包むため、（図３に示すように）ヒップサポート部１２３のボタン１３３を調節部１３１の開口１３２から外して快適な着座環境のためにヒップサポート部１２３の幅を大きくすることができる。
【００３７】
チャイルドキャリア１００のセットアップが完了すると、取り付けシステム１７０の２つの締結部１７１及び１７２を係合させることによりウエストストラップ１１１を介護者の腰の周りに固定することができる。ウエストストラップ１１１は締め付けハーネス１８０により介護者の腰の周りに締め付けられる。その後、子供は介護者の胴体の前で保持され、子供サポート部１２０が子供の周りを包み、ショルダーストラップ１１２が介護者の胴体の前側に沿って延びて介護者の肩の周りに巻か付けられるようにショルダーストラップ１１２及び子供サポート部１２０は共に上方に引っ張られる。それにより、胴体サポート部１２２の内面１２２ａは子供が受容されるチャイルドキャリア１００の内部容積に面することができ、外面１２２ｂは外を向くことができる。そして、２つのストラップ締結アセンブリ１６１、１６２は介護者の大きさに従って２つのショルダーストラップ１１２に沿って調節でき、ストラップ規制アセンブリ１６０を締結するために互いに係合できる。胴体サポート部１２２の上部と介護者の身体との間の距離は、ベルト部１２２４の長さを調節することで所望により調節され得る。
【００３８】
図１０は、ヒップサポート調節機構１３０が、前で説明した調節部１３１の役割を果たし得るジップファスナー１３４を含むことができるチャイルドキャリア１００の変形構成を示す概略図である。ジップファスナー１３４はヒップサポート部１２３に接続でき、子供サポート部１２０の長さ軸と概ね平行に延在できる。一構成例によれば、ジップファスナー１３４はヒップサポート部１２３の真ん中に隣接して配置できる。ジップファスナー１３４はヒップサポート部１２３の幅を小さくするために閉じることができ、ヒップサポート部１２３の幅を大きくするために開くことができる。
【００３９】
図１１は、ポケット１２５を含み得るチャイルドキャリア１００の変形構成を示す概略図である。ポケット１２５はヒップサポート部１２３に設けることができ、ヒップサポート調節部１３０を隠すように構成できる。より具体的には、ヒップサポート調節部１３０はポケット１２５の内部に配置され、ポケット１２５はその上部に又は側部に開口１２５１を有することができる。開口１２５１を通じて操作のためにヒップサポート調節部１３０にアクセスできる。ヒップサポート調節部１３０をポケット１２５の内側に隠すことは子供サポート部１２０の全体的な外観の改善に寄与し得る。
【００４０】
図１１において、ポケット１２５内に隠されたヒップサポート調節部１３０は一例として図１〜図４に関連して前で説明した調節部１３１及びボタン１３３を含むことができる。図１２において、ポケット１２５内に隠されたヒップサポート調節機構１３０は一例として図１０に関連して前で説明したジップファスナー１３４を含むことができる。
【００４１】
図１３〜図１５は、チャイルドキャリア１００の一実施形態に設けられ得る別の特徴を示す概略図である。図１３〜図１５に示すチャイルドキャリア１００は、前で説明した構造のいずれかを有し得る。図１３〜図１５を参照して、チャイルドキャリア１００はキャリーハーネス１１０と子供サポート部１２０との間で延在し、右側及び左側で２つの大腿部サポート部１２４の近くに設けられる２つの大腿部制限部１９０をさらに含み得る。一構成例によれば、右側及び左側それぞれの大腿部制限部１９０及び大腿部サポート部１２４は、調節可能な制限開口を少なくとも部分的に区画し得る。子供の大腿部は制限開口を通って位置し、大腿部制限部１９０は大腿部サポート部１２４の上で延在する。子供の大腿部が制限開口を通った状態で子供がチャイルドキャリア１００に設置されると、大腿部制限部１９０は大腿部の上方への変位を制限できるため、子供を好適に配置するのを支援し、子供がチャイルドキャリア１００から横に落ちるのを防止し得る。
【００４２】
図１３〜図１５を参照して、一構成例によれば、大腿部制限部１９０は、キャリーハーネス１１０と子供サポート部１２０との間で延在可能な規制部１９１を含む。規制部１９１は細長い形状を有し、可撓性材料で構成され得る。例えば、規制部１９１は可撓性のストリップ又は帯であり得る。規制部１９１の好適な材料の例としては、限定されないがファブリック、織物類等が挙げられる。一実施形態によれば、規制部１９１は大腿部サポート部１２４とネックサポート部１２１との間の場所でキャリーハーネス１１０と子供サポート部１２０のそれぞれに接続され得る。例えば、規制部１９１はキャリーハーネス１１０に取り付けられる固定端１９１ａを有し、ヒップサポート部１２３に隣接し且つ大腿部サポート部１２４の上にある場所で胴体サポート部１２２に取り外し可能に接続できる。一構成例によれば、規制部１９１の固定端１９１ａはウエストストラップ１１１に隣接し且つウエストストラップ１１１の上にある場所でショルダーストラップ１１２に取り付けられ得る。別の構成例によれば、規制部１９１の固定端１９１ａはウエストストラップ１１１に取り付けられ得る。
【００４３】
規制部１９１をキャリーハーネス１１０及び子供サポート部１２０にそれぞれ接続する代わりに、規制部１９１を子供サポート部１２０の２つの離間した位置に接続してもよい。例えば、規制部１９１はヒップサポート部１２３又は大腿部サポート部１２４に接続される固定端１９１ａを有し、ヒップサポート部１２３に隣接し且つ大腿部サポート部１２４の上にある場所で胴体部サポート部１２２に取り外し可能に接続され得る。
【００４４】
規制部１９１が胴体サポート部１２２に接続されている場合、規制部１９１及び大腿部サポート部１２４は子供の大腿部を配置するための制限開口を少なくとも部分的に区画できる。加えて、規制部１９１は制限開口の大きさを変更できる。例えば、固定端１９１ａと規制部１９１が胴体サポート部１２２と接続される場所との間の規制部１９１の長さを調節して制限開口の大きさを変更してもよい。
【００４５】
一構成例によれば、規制部１９１は、固定端１９１ａと反対側の規制部１９１の遠位端１９１ｂに隣接して配置される第１の締結部１９２と、固定端１９１ａに隣接して配置されるとともに第１の締結部１９２と係合でき且つ第１の締結部１９２から外すことができる１つ以上の第２の締結部１９３とを有し得る。第１の締結部１９２及び第２の締結部１９３は限定されないがボタンファスナー、スナップファスナー、フック・ループファスナー、バックルファスナー等を含み得る。制限開口を形成するために、規制部１９１は、大腿部サポート部１２４の上で胴体サポート部１２２の外面１２２ｂに設けられるガイドループ（例えばガイドループ１２２５）を通り、第１の締結部１９２が（図１５に示すように）第２の締結部１９３の一方と係合するように戻る。使用の構成において、設置された規制部１９１は大腿部サポート部１２４の上且つネックサポート部１２１の下で延在でき、制限開口を通じて位置する子供の大腿部の上方の動きを制限できる。固定端１９１ａと、制限開口を上方に区画できる胴体サポート部１２２に規制部１９１が接続する場所（例えばガイドループ１２２５）との間の規制部１９１の長さは、締結部１９２を第２の締結部１９３のうちの別の方に係合させることにより調節できる。
【００４６】
大腿部制限部１９０は他の構成を有し得ることが分かる。例えば、ひもを用いる方法（lacing  method）を用いる代わりに、変形構成では第２の締結部１９３を胴体サポート部１２２に配置し、規制部１９１にある第１の締結部１９２は胴体サポート部１２２にある第２の締結部１９３のいずれかと係合して制限開口を形成できる。図２６に示す別の変形構成によれば、規制部１９１は、それぞれ開口として形成される複数の第１の締結部１９２を含み、胴体サポート部１２２は規制部１９１の開口のいずれかと選択的に係合して制限開口を形成するボタンの形態の第２の締結部１９３を含み得る。別の構成によれば、規制部１９１は、キャリーハーネス１１０及び胴体サポート部１２２の一方又は双方に取り外し可能に及び／又は調節可能に締結され得る。
【００４７】
図１６〜図１９はチャイルドキャリア１００の一実施形態に適用され得る別の変形構成を示す概略図である。図１６〜図１９を参照して、ネックサポート部１２１は例えばジップファスナー１２６であり得るファスナーを通じて胴体サポート部１２２の上部に取り外し可能に接続され得る。ファスナーはネックサポート部１２１を胴体サポート部１２２に接続するために係合でき、ネックサポート部１２１を胴体サポート部１２２から取り外すために外すことができる。したがって、介護者は必要に応じてネックサポート部１２１の取り外し及び設置を行うことができる。例えば、ネックサポート部１２１は掃除又は修理を容易にするために胴体サポート部１２２から取り外すことができる。図１６〜図１９の例ではジップファスナーを用いるが、ネックサポート部１２１を胴体サポート部１２２に取り外し可能に接続するのに他の種類のファスナーを用いることができるのが分かる。そのようなファスナーの例としては、限定されないが、スナップファスナー、ボタンファスナー、フック・ループファスナー等が挙げられる。ネックサポート部１２１が胴体サポート部１２２に接続されると、前で説明したように胴体サポート部１２２に対するネックサポート部１２１の垂直位置を調節するために、ネックサポート部１２１は（例えばジップファスナー１２６に沿って）胴体サポート部１２２に折り重ねられる。ネックサポート部１２１の垂直位置を保持するのに前で説明した同じ締結部１２１１、１２２３を用いることができる。
【００４８】
図１６〜図１９を参照して、ヘッドカバー１２２２を収納するために用いられる収納ポケット１２２１は、胴体サポート部１２２ではなく取り外し可能なネックサポート部１２１に設けられてもよい。例えば、収納ポケット１２２１はネックサポート部１２１の中央領域に配置され、ネックサポート部１２１の締結部１２１１は収納ポケット１２２１の左側及び右側に配置され得る。収納ポケットの開口は一例として１つ以上のスナップファスナー１２２１Ａにより開閉され得る。収納ポケット１２２１を開閉するための他の好適なファスナーとしては、限定されないがジップファスナー、ボタンファスナー、フック・ループファスナー等が挙げられる。一構成例によれば、ヘッドカバー１２２２は収納ポケット１２２１の内部に固定接続される端部を有し得る。そのため、ヘッドカバー１２２２はネックサポート部１２１に連結される。ヘッドカバー１２２２は折り畳まれて収納ポケット１２２１の内部に収納され、使用する場合は外に展開される。子供の頭を覆うためにヘッドカバー１２２２が展開されている場合、ヘッドカバー１２２２はチャイルドキャリア１００の２つのショルダーストラップ１１２に取り外し可能に締結されて、子供の頭を支持するのを助ける。例えば、ヘッドカバー１２２２はショルダーストラップ１１２に設けられる対応する締結部１１２２とそれぞれ係合可能な締結部１２２２ａをそれぞれ備えた２つのベルト部１２２２ｂ（図１６により分かり易く示す）を有し得る。ヘッドカバー１２２２が用いられていない場合、ベルト部１２２２ｂ及び締結部１２２２ａはヘッドカバー１２２２と共に収納ポケット１２２１内に収納され得る。
【００４９】
図２０及び図２１は、チャイルドキャリア１００の実施形態に設けられ得る別の特徴を示す概略図である。図２０及び図２１を参照して、チャイルドキャリア１００は、ネックサポート部１２１を少なくとも部分的に覆って保護するために子供サポート部１２０に設置可能な胸当て１２７を含み得る。ネックサポート部１２１は胴体サポート部１２２に恒久的に取り付けられるか又は取り外し可能に接続され、前で説明したようにネックサポート部１２１を胴体サポート部１２２に折り重ねることによって胴体サポート部１２２に対して複数の垂直位置の間で調節可能である。胸当て１２７はネックサポート部１２１に隣接して配置される一方で、ネックサポート部１２１は胴体サポート部１２２に対して任意の所望の垂直位置にあることができる。簡便で柔軟な使用のために、胸当て１２７は必要に応じて子供サポート部１２０に対して着脱され得る。例えば、胸当て１２７は子供サポート部１２０のネックサポート部１２１及び／又は胴体サポート部１２２に取り外し可能に締結され得る。
【００５０】
一構成例によれば、胸当て１２７は概ねＵ字の形状を有し、水平部１２７１と、水平部１２７１の両側から突出する２つ側部１２７２とを含む。胸当て１２７の好適な材料の例としては、限定されないが、ファブリック、織物類が挙げられる。胸当て１２７は、胸当て１２７を子供サポート部１２０に取り付けるために複数の開口１２７３を含むことができる。例えば、２つの側部１２７２が水平部１２７１と結合する２つの接続領域に隣接して２つの開口１２７３が前掛け１２７にそれぞれ配置される。使用の際、胸当て１２７はネックサポート部１２１を少なくとも部分的に覆うために配置され、胸当て１２７を定位置で保持するために胴体サポート部１２２に設けられる締結部は開口１２７３とそれぞれ係合できる。胸当て１２７３の開口１２７３と係合するために胴体サポート部１２２に設けられる好適な締結部の例としてはボタンが挙げられる。一実施形態によれば、ネックサポート部１２１の異なる垂直位置を保持するために胴体サポート部１２２に設けられる締結部１２２３も開口１２７３と係合して胸当て１２７を定位置で保持する。例えば、締結部１２２３のうちの２つはネックサポート部１２１及び胸当て１２７とそれぞれ係合してネックサポート部１２１を所望の垂直位置で保持し、胸当て１２７をネックサポート部１２１に隣接する位置で保持することができる。胸当て１２７がネックサポート部１２１に配置されると、胸当て１２７の２つの側部１２７２は締結部１２２３及び２つのベルト部１２２４の少なくとも一部を少なくとも部分的に覆うことができる。
【００５１】
胴体サポート部１２２に設けられる前述の締結部の構成に加えて又は代えて、ネックサポート部１２１も胸当て１２７を定位置で保持するために胸当て１２７と係合可能な締結部を有し得ることが分かる。
【００５２】
図２２〜図２６は、チャイルドキャリア１００の一実施形態で設けられ得る別の特徴を示す概略図である。図２２〜図２６を参照して、チャイルドキャリア１００は胴体サポート部１２２とキャリーハーネス１１０との間の最大底部距離（greatest  bottom  distance）、とりわけ一端にある胴体サポート部１２２と、他端にあるウエストストラップ１１１、ショルダーストラップ１１２及び／又は連結部１６３に隣接する領域との間の最大底面距離を調節可能な拡張可能部（expandable  portion）１２８を含み得る。拡張可能部１２８はパネル、ストリップ、帯等であり得る。拡張可能部１２８に好適な材料の例としては、限定されないがファブリック、織物類等の可撓性材料が挙げられる。拡張可能部１２８はヒップサポート部１２３の上に配置できる。拡張可能部１２８の端部１２８ａ（図２３でより分かり易く示す）は子供サポート部１２０とウエストストラップ１１１との間の接続部分に隣接する領域で子供サポート部１２０に又はウエストストラップ１１１に取り付けられ得る。端部１２８ａと反対側の拡張可能部１２８の別の端部１２８ｂ（図２３でより分かり易く示す）は胴体サポート部１２２の底部の近くで、例えば胴体サポート部１２２とヒップサポート部１２３との間の接続部分の近くで胴体サポート部１２２に取り付けられ得る。拡張可能部１２８は、胴体サポート部１２２をキャリーハーネス１１０に連結する調節可能な有効長さを有することができ、係る調節可能な有効長さは胴体サポート部１２２とキャリーハーネス１１０との間で許容される最大底部距離を定義できる。例えば、拡張可能部１２８は、拡張可能部１２８の有効長さを変更及び調節可能な締結構造１２８１に接続できる。それにより、胴体サポート部１２２とキャリーハーネス１１０との間の最大底部距離を調節できる。締結構造１２８１が胴体サポート部１２２とキャリーハーネス１１０との間の最大底部距離を小さくするように構成されている場合、拡張可能部１２８の有効長さは拡張可能部１２８の２つの端部１２８ａ及び１２８ｂの間の全長より小さくてもよい。
【００５３】
一構成例によれば、締結構造１２８１は、拡張可能部１２８の長さ方向に沿って互いに離間し、子供サポート部１２０の幅方向に沿って延在する２列の突出歯を含むジップファスナーを含み得る。２列の突出歯は互いに係合し且つ互いから外れることができる。２列の突出歯が互いに係合している場合、締結構造１２８１は締結状態にあり、拡張可能部１２８は図２５及び図２６に示すように拡張可能部１２８の有効長さを小さくするために折り畳まれ、胴体サポート部１２２とキャリーハーネス１１０との間の最大底部距離を小さくできる。２列の突出歯が互いから外れて場合、締結構造１２８１は非締結状態にあり、拡張可能部１２８は図２２に示すように、拡張可能部１２８の有効長さを大きくするために拡張可能であり、胴体サポート部１２２とキャリーハーネスとの間の最大底部距離を大きくできる。即ち、胴体サポート部１２２とキャリーハーネス１１０との間で許容される最大底部距離は締結構造１２８１が非締結状態にある場合よりも締結構造１２８１が締結状態にある場合に小さくなる。使用の間、拡張可能部１２８は胴体サポート部１２２と、チャイルドキャリア１００を用いて子供を担ぐ介護人の身体との間に好適な底部距離をセットするために子供の大きさに従って調節され得る。
【００５４】
前述の例では締結構造１２８１のためにジップファスナーを提供するが、他の構成も好適であり得ることが分かる。例えば、締結構造１２８１のための一部の変形構成は、限定されないがボタンファスナー、スナップファスナー、バックルファスナー、フック・ループファスナー等を含み得る。さらに、締結構造１２８１は胴体サポート部１２２とキャリーハーネス１１０との間で３つ以上の最大底部距離を所望により設定できるように複数の締結位置を含み得る。
【００５５】
一実施形態によれば、拡張可能部１２８とヒップサポート調節機構１３０の双方を含む本願で説明したチャイルドキャリア１００は、子供のサイズ及び／又は子供の着座構成に従って子供サポート部１２０の胴体サポート部１２２及びヒップサポート部１２３を調節する上でより多くの柔軟性を提供し得る。したがって、チャイルドキャリア１００は子供のためにより快適な環境を提供できる。
【００５６】
図１６及び図１７を参照して、チャイルドキャリア１００の実施形態に設けられる実用的な特徴は、ウエストストラップ１１１に取り付けられるユーティリティーホルダーバンド（utility  holder  band）１１１２を含み得る。ユーティリティーホルダーバンド１１１２に好適な材料の例としては、限定されないがファブリック及び織物類が挙げられる。ユーティリティーホルダーバンド１１１２はウエストストラップ１１１に沿って延在することができ、ウエストストラップ１１１に固定取り付けされる２つの端部１１１２ａ及び１１１２ｂを有することができる。２つの端部の１１１２ａ及び１１１２ｂの間のユーティリティーホルダーバンド１１１２の中間部１１１２ｃはウエストストラップ１１１から離れるように動かしてウエストストラップ１１１と中間部１１１２ｃとの間に間隙１１１３を形成することができる。２つ以上の間隙１１１３を形成する場合、ユーティリティーホルダーバンド１１１２は、２つの端部１１１２ａ及び１１１２ｂの間の別の位置１１１２ｄでウエストストラップ１１１にさらに固定取り付けされ得る。それにより、ウエストストラップ１１１はユーティリティーホルダーバンド１１１２に引っ掛けられる１つ以上の物体を受容できる。例えば、留め具を有する物体がユーティリティーホルダーバンド１１１２から吊り下げられ、留め具は間隙１１１３を通じて少なくとも部分的に受容される。便利な使用のために、ユーティリティーホルダーバンド１１１２は、ウエストストラップ１１１上の介護者が容易にアクセスできる場所に位置する。例えば、ユーティリティーホルダーバンド１１１２はヒップサポート部１２３に隣接するウエストストラップ１１１上に位置する。このように、使用の構成において、１つ以上の物体を子供サポート部１２０により支持される子供の下でユーティリティーホルダーバンド１１１２から吊り下げることができる。
【００５７】
再び図１６及び図１７を参照して、チャイルドキャリア１００のさらなる実用的な特徴はウエストストラップ１１１に設けられる収納コンパートメント１１１５を含み得る。収納コンパートメント１１１５は、ユーティリティーホルダーバンド１１１２から離れてウエストストラップ１１１に固定取り付けされ得る。例えば、収納コンパートメント１１１５はウエストストラップ１１１に直接縫い付けられ得る。収納コンパートメント１１１５は締結部１１１６により開閉可能な開口を有し得る。一構成例によれば、締結部１１１６はジップファスナーであり得る。しかしながら、締結部１１１６は限定されないがボタンファスナー、スナップファスナー、フック・ループファスナー等を含む他の好適な構成を含み得ることが分かる。介護者は、鍵、カード等の比較的サイズの小さい物又はアイテムを収納コンパートメント１１１５に入れることができる。一構成例によれば、収納コンパートメント１１１５は、ウエストストラップ１１１が介護者の腰の周りに取り付けられた場合に介護者の身体の右側又は左側に対応する位置に配置され得る。
【００５８】
本願で説明した実施形態及び構成はチャイルドキャリアに有利に適用され得る複数の特徴を提供する。これらの特徴は、チャイルドキャリアの様々な実施形態において必要に応じて個別に又は任意の好適な組み合わせで実施され得る。
【００５９】
特定の実施形態の文脈でチャイルドキャリアの実現を説明してきた。これらの実施形態は説明を意図したものであり制限を意図するものではない。多くの変更、変形、追加及び改善が可能である。これらの変更、変形、追加及び改善は、以下の特許請求の範囲で定義される本発明の範囲内に含まれ得る。
【符号の説明】
【００６０】
１００  チャイルドキャリア
１１０  キャリーハーネス
１１１  ウエストストラップ
１２０  子供サポート部
１２１  ネックサポート部
１２２  胴体サポート部
１２３  ヒップサポート部
１２４  大腿部サポート部
１３０  ヒップサポート調節機構
１４０、１５０  連結アセンブリ
１６０  ストラップ規制アセンブリ
１７０  取り付けシステム
１９０  大腿部制限部
１９１  規制部
１１１２  ユーティリティーホルダーバンド
１１１５  収納コンパートメント
【図１】
2019193781.tif 000003
【図２】
2019193781.tif 000004
【図３】
2019193781.tif 000005
【図４】
2019193781.tif 000006
【図５】
2019193781.tif 000007
【図６】
2019193781.tif 000008
【図７】
2019193781.tif 000009
【図８】
2019193781.tif 000010
【図９】
2019193781.tif 000011
【図１０】
2019193781.tif 000012
【図１１】
2019193781.tif 000013
【図１２】
2019193781.tif 000014
【図１３】
2019193781.tif 000015
【図１４】
2019193781.tif 000016
【図１５】
2019193781.tif 000017
【図１６】
2019193781.tif 000018
【図１７】
2019193781.tif 000019
【図１８】
2019193781.tif 000020
【図１９】
2019193781.tif 000021
【図２０】
2019193781.tif 000022
【図２１】
2019193781.tif 000023
【図２２】
2019193781.tif 000024
【図２３】
2019193781.tif 000025
【図２４】
2019193781.tif 000026
【図２５】
2019193781.tif 000027
【図２６】
2019193781.tif 000028
【外国語明細書】
2019193781000001.pdf